(57)【要約】【課題】装着対象となる通信モジュール用カードの小型化を図ると共に、設置スペースの省スペース化を図ることができるカード用コネクタを提供すること。【解決手段】基板７７の設置面に設置されるコネクタ本体２と、コネクタ本体２に取り付けられて通信モジュール用カード７１の装着空間を形成する蓋本体２７と、蓋本体２７の設置面に対向する上壁部の外面に設けられた取付部材２８と、取付部材２８に設けられ、通信モジュール用カード７１に接続されるアンテナ３７とを備えて構成した。【選択図】図３
2010251043.tif 000002
【特許請求の範囲】
【請求項１】
通信モジュール用カードの装着空間が形成され、所定の設置面に設置される筐体と、
前記筐体の前記設置面に対向する壁部に設けられ、前記通信モジュール用カードに接続されるアンテナとを備えたことを特徴とするカード用コネクタ。
【請求項２】
前記アンテナは、前記筐体の前記装着空間に連なる挿入口側に設けられたことを特徴とする請求項１に記載のカード用コネクタ。
【請求項３】
前記筐体は、前記設置面に設置されるハウジングと、前記ハウジングに取り付けられて前記装着空間を形成する蓋体とを有し、
前記アンテナは、前記ハウジングおよび前記蓋体の少なくとも一方の前記設置面に対向する壁部に設けられたことを特徴とする請求項１または請求項２に記載のカード用コネクタ。
【請求項４】
前記蓋体は、前記ハウジングに取り付けられて前記装着空間を形成する蓋本体と、前記蓋本体の前記設置面に対向する上壁部の外面に設けられた取付部材とを有し、
前記アンテナは、前記取付部材に設けられたことを特徴とする請求項３に記載のカード用コネクタ。
【請求項５】
前記蓋本体は、金属性であることを特徴とする請求項４に記載のカード用コネクタ。
【請求項６】
前記アンテナは、前記ハウジングの前記設置面に設置される底壁部の前記挿入口側の前端面および前記挿入口を形成する上面から露出するように設けられたことを特徴とする請求項３から請求項５のいずれかに記載のカード用コネクタ。
【発明の詳細な説明】
【技術分野】
【０００１】
本発明は、カード用コネクタに関し、特に、ノート型ＰＣ等の携帯用電子機器に備えられるカード用コネクタに関する。
【背景技術】
【０００２】
従来、ノート型ＰＣ等の携帯用電子機器のカード用コネクタに装着されて、携帯用電子機器に無線通信機能を付加する通信モジュール用カードが知られている。この通信モジュール用カードは、内部に無線通信用のアンテナを有して構成されており、アンテナ分だけカードサイズが大きくなっていた。
【０００３】
このため、通信モジュール用カードの代わりにカード用コネクタにアンテナを設けて、通信モジュール用カードのカードサイズの小型化を図るものが知られている（例えば、特許文献１参照）。この特許文献１に記載のカード用コネクタは、携帯用電子機器の基板に設置され、カードの装着空間が形成された筐体にアンテナを設けて構成されている。アンテナは、筐体の基板に対して垂直な側壁および奥壁に設けられ、側壁から装着空間内に露出したコネクタ端子に接続されている。
【０００４】
このカード用コネクタに通信モジュール用カードが装着されると、カード用コネクタのアンテナと通信モジュール用カードに内蔵された制御部とが接続される。そして、制御部においてアンテナで送受信される高周波信号が処理されると供に、基板を介して携帯用電子機器との間で信号処理が制御されることにより、携帯用電子機器に無線通信機能が付加される。
【先行技術文献】
【特許文献】
【０００５】
【特許文献１】特開２００４−３２６３３２号公報
【発明の概要】
【発明が解決しようとする課題】
【０００６】
しかしながら、上記したような従来のカード用コネクタにおいては、筐体の基板に対して垂直な側壁および奥壁にアンテナが設けられているため、側壁および奥壁の壁厚を大きくとらなければならず、基板における設置スペースが広くなるという問題があった。
【０００７】
本発明はこのような実情に鑑みてなされたものであり、装着対象となる通信モジュール用カードの小型化を図ると共に、設置スペースの省スペース化を図ることができるカード用コネクタを提供することを目的とする。
【課題を解決するための手段】
【０００８】
本発明のカード用コネクタは、通信モジュール用カードの装着空間が形成され、所定の設置面に設置される筐体と、前記筐体の前記設置面に対向する壁部に設けられ、前記通信モジュール用カードに接続されるアンテナとを備えたことを特徴とする。
【０００９】
この構成によれば、カード用コネクタにアンテナが設けられるため、アンテナ分だけ装着対象となる通信モジュール用カードのサイズを小型化することができる。また、筐体が設置される所定の設置面に対向する壁部にアンテナが設けられるため、筐体の設置面に垂直な壁部、例えば、側壁部および奥壁部の壁厚を大きくとる必要がない。したがって、アンテナを備えた状態でカード用コネクタの設置スペースを省スペース化することができる。
【００１０】
また本発明は、上記カード用コネクタにおいて、前記アンテナは、前記筐体の前記装着空間に連なる挿入口側に設けられたことを特徴とする。
【００１１】
この構成によれば、カード用コネクタが、例えば携帯用電子機器に実装されたときに、携帯用電子機器から露出する挿入口側にアンテナが設けられるため、電波の送受信感度を向上させることができる。
【００１２】
また本発明は、上記カード用コネクタにおいて、前記筐体は、前記設置面に設置されるハウジングと、前記ハウジングに取り付けられて前記装着空間を形成する蓋体とを有し、前記アンテナを前記ハウジングおよび前記蓋体の少なくとも一方の前記設置面に対向する壁部に設けることができる。
【００１３】
また本発明は、上記カード用コネクタにおいて、前記蓋体は、前記ハウジングに取り付けられて前記装着空間を形成する蓋本体と、前記蓋本体の前記設置面に対向する上壁部の外面に設けられた取付部材とを有し、前記アンテナは、前記取付部材に設けられたことを特徴とする。
【００１４】
この構成によれば、アンテナが設けられた取付部材が蓋本体に外側から取り付けられるため、アンテナを有さない既存のカード用コネクタに簡単にアンテナを実装させることができる。また、アンテナは、電波の感度を確認しつつ設計されるが、アンテナが所望の感度が得られない場合に、取付部材を介してアンテナを取り外すことができるため、カード用コネクタを大幅に設計変更することなく感度調整することができる。
【００１５】
また本発明は、上記カード用コネクタにおいて、前記蓋本体は、金属性であることを特徴とする。
【００１６】
この構成によれば、金属性の蓋本体により筐体の強度を高めることができる。
【００１７】
また本発明は、上記カード用コネクタにおいて、前記アンテナは、前記ハウジングの前記設置面に設置される底壁部の前記挿入口側の前端面および前記挿入口を形成する上面から露出するように設けられたことを特徴とする。
【００１８】
この構成によれば、アンテナがハウジングの底壁の挿入口側の前端面および挿入口を形成する上面から露出するため、多方向の電波を受けることができる。
【発明の効果】
【００１９】
本発明によれば、装着対象となる通信モジュール用カードの小型化を図ると共に、設置スペースの省スペース化を図ることができる。
【図面の簡単な説明】
【００２０】
【図１】本発明に係るカード用コネクタの第１の実施の形態を示す図であり、カード用コネクタの斜視図である。
【図２】本発明に係るカード用コネクタの第１の実施の形態を示す図であり、カード用コネクタの蓋体を外した斜視図である。
【図３】本発明に係るカード用コネクタの第２の実施の形態を示す図であり、カード用コネクタの斜視図である。
【図４】本発明に係るカード用コネクタの第２の実施の形態を示す図であり、カード用コネクタの蓋体を外した斜視図である。
【図５】本発明に係るカード用コネクタの実施の形態を示す図であり、通信モジュール用カードの平面図である。
【発明を実施するための形態】
【００２１】
以下、本発明の第１の実施の形態について添付図面を参照して詳細に説明する。なお、以下においては、本発明をノート型ＰＣ等の携帯用電子機器の基板に取り付けられるカード用コネクタに適用する場合について説明する。しかしながら、本実施の形態に係るカード用コネクタの適用対象については、これに限定されるものではなく適宜変更が可能である。
【００２２】
まず、本実施の形態に係るカード用コネクタについて説明する前に装着対象となる通信モジュール用カードについて説明する。図５は、本発明の第１の実施の形態に係る通信モジュール用カードの平面図であり、（ａ）が上面図、（ｂ）が背面図をそれぞれ示している。
【００２３】
図５（ａ）、（ｂ）に示すように、通信モジュール用カード７１は、外形がいわゆるＳＤメモリカードと略同等であり、上面視略矩形状に形成されている。通信モジュール用カード７１の一の角部には、切り欠かれて約４５度に傾斜した傾斜面７２が形成されている。傾斜面７２は、通信モジュール用カード７１の挿入方向を識別するのに用いられ、この傾斜面７２が形成されている側が挿入方向における前端側とされ、逆側が挿入方向における後端側とされる。
【００２４】
通信モジュール用カード７１の前端面には、カード用コネクタ１のピン端子３８に接続される図示しないソケット部が形成されている。通信モジュール用カード７１の前端側の下面には、挿入方向に延在する複数の仕切りによって溝部７３が形成されている。この溝部７３には、カード用コネクタ１の複数のコンタクト端子１５に接触する複数のパッド７４が設けられている。
【００２５】
通信モジュール用カード７１の一の側面には、後述するスライド部材１８に係止される切欠部７５が形成されている。また、通信モジュール用カード７１の内部には、複数の電子部品等により構成された図示しない制御部が設けられている。制御部は、ソケット部を介してアンテナ３７に送受信される高周波信号を処理すると共に、図示しないＩ／Ｆコントローラによりコンタクト端子１５を介して携帯用電子機器との間で信号処理を制御している。
【００２６】
次に、図１および図２を参照して、カード用コネクタの全体構成について説明する。図１は、本発明の実施の形態に係るカード用コネクタの斜視図である。図２は、本発明の実施の形態に係るカード用コネクタの蓋体を外した斜視図である。
【００２７】
図１および図２に示すように、本実施の形態に係るカード用コネクタ１は、挿入口５を外部に露出した状態で、携帯用電子機器の基板７７に設置される。カード用コネクタ１は、上面および前面が開口されたコネクタ本体２と、コネクタ本体２の上面の開口に装着されて通信モジュール用カード７１の装着空間を形成する蓋体３とを備え、コネクタ本体２および蓋体３が組み合わされて挿入口５を有する箱状体をなしている。コネクタ本体２の底壁１１の中央部分には、複数のコンタクト端子１５が設けられている。底壁１１に設けられた各コンタクト端子１５は、底壁１１の中央部分から奥壁１２側に向かって延在している。
【００２８】
コネクタ本体２の一の側壁１３には、通信モジュール用カード７１の挿入検出用のスイッチ部１６が設けられている。スイッチ部１６は、下方に設けられた固定接点１７に対して離接可能に支持されており、図示しない巻きバネにより固定接点１７に対して離間方向に付勢されている。スイッチ部１６は、通信モジュール用カード７１の挿入により巻きバネの付勢力に抗して押し込まれると、固定接点１７に接触され、通信モジュール用カード７１の挿入を検出する。
【００２９】
コネクタ本体２の側壁１３に対向する側壁部分は、前端側の突き当り部１４を残して切り欠かれており、この切欠き部分に挿入方向および排出方向にスライド可能なスライド部材１８と、スライド部材１８のスライドに伴って伸縮するコイル状の排出バネ１９とが設けられている。排出バネ１９は、一端が奥壁１２に当接され、他端がスライド部材１８に当接されており、スライド部材１８を排出方向に付勢している。
【００３０】
スライド部材１８は、排出バネ１９に付勢された状態で挿入方向および排出方向にスライド可能に構成されている。スライド部材１８の後端側には、コネクタ本体２の中央に向かって突出する挿入位置規制部２１が形成されている。挿入位置規制部２１の側面は、スライド部材１８の後端に向かって装着空間の幅方向を狭めるような傾斜面２２であり、通信モジュール用カード７１の傾斜面７２に当接するように約４５度に傾斜している。この挿入位置規制部２１の傾斜面２２により、通信モジュール用カード７１の傾斜面７２に当接する正挿入時のみ通信モジュール用カード７１が装着位置まで案内されるので、通信モジュール用カード７１の誤装着が防止される。
【００３１】
スライド部材１８の前端側には図示しないハートカム溝が形成されており、このハートカム溝と突き当り部１４に設けられたピン２３によりスライド部材１８の位置が規定される。ピン２３は、スライド部材１８のスライド方向に延在し、両端が底壁１１に向かって略直角に屈曲している。ピン２３の一端は、突き当り部１４に回動可能に支持され、他端はスライド部材１８のハートカム溝上に摺動される。
【００３２】
ハートカム溝は、複数の段差と傾斜を有して上面視ハート型の環状に形成されており、スライド部材１８のスライドに応じてピン２３の他端を一方向に摺動させる。スライド部材１８が奥壁１２近傍の装着位置に押し込まれると、ピン２３の他端がハートカム溝の係止部分に係止され、排出バネ１９の付勢によるスライド部材１８の復帰が規制される。この状態からさらにスライド部材１８が押し込まれると、ピン２３とハートカム溝との係止状態が解除されて、排出バネ１９の付勢によりスライド部材１８が復帰される。このように、ピン２３とハートカム溝は、スライド部材１８の装着位置における保持機能を有している。
【００３３】
また、スライド部材１８には、挿入方向に延在する金属性の板バネ２４が設けられており、板バネ２４の板面には挿入された通信モジュール用カード７１の切欠部７５に係止される係止突起２５が形成されている。
【００３４】
蓋体３は、コネクタ本体２の上面を覆う蓋本体２７と、蓋本体２７の上面に取り付けられた取付部材２８とを有している。蓋本体２７は、金属性の板材を折り曲げて形成されており、上面の一側方にはピン２３を押えるピン押え３１が形成されている。ピン押え３１は、底壁１１側に切り起された片持ちバネであり、ピン２３の中間部分を下方に押圧してピン２３の他端をハートカム溝に押し付けている。また、蓋本体２７の上面は、幅方向中央部分において前端から後端側に向かって凸部３２が形成され、この凸部３２は通信モジュール用カード７１の上面形状に沿って突出している。
【００３５】
取付部材２８は、絶縁樹脂により形成されており、内部にインサート成形により複数（本実施の形態では３つ）のアンテナ３７が設けられている。取付部材２８は、凸部３２の前端側の略半部を覆う平板部３４と、平板部３４に連なり凸部３２の前端を除く周囲に沿う枠板部３５と、枠板部３５の後端から立ち下がる複数の曲げ部３６とを有している。平板部３４には複数のアンテナ３７が保持され、複数の曲げ部３６には複数のピン端子３８が保持され、枠板部３５には各アンテナ３７と各ピン端子３８とを接続する複数の接続ライン３９が保持されている。
【００３６】
取付部材２８は、枠板部３５を凸部３２の外側面に沿わせるようにして、蓋本体２７に対して前後左右に位置決め状態で取り付けられる。この場合、各曲げ部３６は、コネクタ本体２の奥壁１２の切欠部２９に位置合わせされ、各曲げ部３６に保持されたピン端子３８は、通信モジュール用カード７１のソケット部に対応するように位置合わせされる。このように、取付部材２８は、蓋本体２７に外側から取り付けられるため、アンテナを有さない既存のカード用コネクタに簡単に取り付け可能に構成されている。
【００３７】
複数のアンテナ３７は、金属板によりミアンダ状に形成されており、平板部３４内においてカード用コネクタ１の幅方向に延在して保持されている。この場合、複数のアンテナ３７が、カード用コネクタ１が設置される基板７７の設置面に対向して設けられるため、基板７７の設置面に垂直な壁部分、例えば、奥壁１２等にアンテナ３７を設ける構成と比較して、設置スペースを小さくすることが可能となる。また、取付部材２８内に設けられる複数のアンテナ３７および接続ライン３９は、金属板により形成されているため、取付部材２８の厚みを薄くして、カード用コネクタ１の小型化が可能となる。
【００３８】
また、各アンテナ３７の長さは、電波の感度を確認しつつ設計されるが、アンテナ３７が所望の感度が得られない場合に、取付部材２８を介してアンテナ３７だけを取り外すことが可能なため、カード用コネクタ１を大幅に設計変更することなく感度調整することが可能となる。また、各アンテナ３７は、蓋体３の略前半部側で保持されるため、カード用コネクタ１が携帯用電子機器に取り付けられた状態で外部に露出する挿入口５側に位置し、電波の送受信感度が向上される。
【００３９】
このように構成されたカード用コネクタ１の挿入口５に通信モジュール用カード７１が挿入されると、通信モジュール用カード７１がスライド部材１８と共にスライドして装着位置に案内される。このとき、通信モジュール用カード７１の複数のソケット部に複数のアンテナ３７に連なるピン端子３８がそれぞれ挿入され、通信モジュール用カード７１の複数のパッド７４に基板７７に接続される複数のコンタクト端子１５がそれぞれ接触される。
【００４０】
通信モジュール用カード７１に内蔵された制御部は、複数のピン端子３８を介してアンテナ３７に接続され、複数のコンタクト端子１５および基板７７を介して携帯用電子機器に接続される。そして、制御部においてアンテナ３７に送受信される高周波信号が処理されると共に、携帯用電子機器との間で信号処理が制御されることで、携帯用電子機器に無線通信機能が付加される。
【００４１】
以上のように、本実施の形態に係るカード用コネクタ１によれば、通信モジュール用カード７１の代わりに取付部材２８にアンテナ３７が設けられるため、アンテナ３７分だけ装着対象となる通信モジュール用カード７１のサイズを小型化することができる。また、基板７７の設置面に対向する取付部材２８にアンテナ３７が設けられるため、基板７７に垂直な壁部分の壁厚を大きくとる必要がない。したがって、アンテナ３７を備えた状態でカード用コネクタ１の設置スペースを省スペース化することが可能となる。
【００４２】
また、アンテナ３７が設けられた取付部材２８が蓋本体２７に外側から取り付けられるため、アンテナ３７を有さない既存のカード用コネクタに簡単にアンテナ３７を実装させることが可能となる。また、アンテナ３７は、電波の感度を確認しつつ設計されるが、アンテナ３７が所望の感度が得られない場合に、取付部材２８を介してアンテナ３７を取り外すことができるため、カード用コネクタ１を大幅に設計変更することなく感度調整することが可能となる。さらに、取付部材２８にアンテナ３７が設けられているため、蓋本体２７を金属製とすることができ、カード用コネクタ１の強度を高めることが可能となる。
【００４３】
次に、本発明の第２の実施の形態について説明する。本発明の第２の実施の形態に係るカード用コネクタは、上述した第１の実施の形態に係るカード用コネクタとアンテナをコネクタ本体の底壁に設けた点についてのみ相違する。したがって、特に相違点についてのみ説明する。図３は、本発明の第２の実施の形態に係るカード用コネクタの斜視図である。図４は、本発明の第２の実施の形態に係るカード用コネクタの蓋体を外した斜視図である。
【００４４】
図３および図４に示すように、第１の実施の形態と異なり、コネクタ本体４２の奥壁５２の前面部分に複数のコンタクト端子５５が設けられている。奥壁５２に設けられた各コンタクト端子５５は、奥壁５２の前面部分から挿入口４５側に向かって延在している。コネクタ本体４２の底壁５１には、インサート成形により複数（本実施の形態では３つ）のアンテナ６１、６２、６３が設けられている。
【００４５】
アンテナ６１は、金属板を側面視Ｃ字状に屈曲して立体的に形成され、カード用コネクタ４１の幅方向に延在している。また、側面視Ｃ字状の金属板の上板部６５および側板部６４は、それぞれコネクタ本体４２の底壁５１の挿入口４５側の上面および前端面から露出される。このように、アンテナ６１は、立体的に形成されると共に、カード用コネクタ４１の挿入口４５側に露出されるため、多方向の電波を受けることが可能となっている。
【００４６】
アンテナ６２は、金属板により上面視において折り返し形状を含むように形成され、アンテナ６１の後方においてカード用コネクタ４１の幅方向に延在している。アンテナ６３は、金属板により上面視において直線状に形成され、アンテナ６２の後方においてカード用コネクタ４１の幅方向に延在している。各アンテナ６１、６２、６３は、それぞれ共通の接続ライン６７に接続され、この接続ライン６７を介してピン端子６８に接続されている。ピン端子６８は、奥壁５２の通信モジュール用カード７１のソケット部に対応する位置に設けられ、奥壁５２から挿入口４５側に向かって延在している。
【００４７】
このように構成されたカード用コネクタ４１に通信モジュール用カード７１が挿入されると、通信モジュール用カード７１がスライド部材５８と共にスライドして装着位置に案内される。このとき、通信モジュール用カード７１のソケット部に複数のアンテナ６１、６２、６３に連なるピン端子６８が挿入され、通信モジュール用カード７１の複数のパッド７４に基板７７に接続される複数のコンタクト端子５５がそれぞれ接触される。
【００４８】
通信モジュール用カード７１に内蔵された制御部は、ピン端子６８を介してアンテナ６１、６２、６３に接続され、複数のコンタクト端子５５および基板７７を介して携帯用電子機器に接続される。そして、制御部においてアンテナ６１、６２、６３に送受信される高周波信号が処理されると共に、携帯用電子機器との間で信号処理が制御されることで、携帯用電子機器に無線通信機能が付加される。
【００４９】
以上のように、本実施の形態に係るカード用コネクタ４１によれば、通信モジュール用カード７１の代わりにコネクタ本体４２にアンテナ６１、６２、６３が設けられるため、アンテナ６１、６２、６３分だけ装着対象となる通信モジュール用カード７１のサイズを小型化することができる。また、基板７７の設置面に対向するコネクタ本体４２の底壁５１にアンテナ６１、６２、６３が設けられるため、基板７７に垂直な壁部分の壁厚を大きくとる必要がない。したがって、アンテナ６１、６２、６３を備えた状態でカード用コネクタ１の設置スペースを省スペース化することが可能となる。また、アンテナ６１が立体的に形成されると共に、コネクタ本体４２の底壁５１の挿入口４５側の上面および前端面から露出されるため、多方向の電波を受けることが可能となる。
【００５０】
なお、上記した各実施の形態においては、通信モジュール用カードを外形がＳＤメモリカードと略同等して説明したが、この構成に限定されるものではない。アンテナと携帯用電子機器との間の信号処理を制御する制御部を有するカードであれば、どのようなカードにも対応可能である。
【００５１】
また、上記した各実施の形態においては、アンテナと接続されたピン端子３８、６８を通信モジュール用カードに挿通することで接続する構成としたが、この構成に限定されるものではない。例えば、ピン端子に代えてカード装着空間内への突出がない平板状の接触端子とし、これに対応して通信モジュ−ル用カードの端面にアンテナとの接続用の接触パッドを設けて、互いに圧接させる構成としても良い。
【００５２】
この場合には、カード装着空間内へのピン端子の突出がないので、ピン端子の収容孔のないＳＤメモリカードを装着することが可能となる。そのため、ＳＤメモリカードの複数のパッド７４と複数のコンタクト端子１５を介してＳＤメモリカード内の記憶素子から信号の授受ができ、通信モジュール用カードとＳＤメモリカードの両方を装着可能なカード用コネクタとすることができる。このように共用する場合は、装着するカードに応じて機器側の処理を変更するようユーザーが設定を変更しても良いし、装着するカードの種類を検出可能なスイッチを設けて切り替えるようにしても良い。
【００５３】
また、上記した各実施の形態においては、単一の規格のカードに対応したカード用コネクタを例示して説明したが、この構成に限定されるものではない。本発明を複数の規格のカードに対応したコンバイン型のカード用コネクタに適用することも可能である。
【００５４】
また、上記した各実施の形態においては、蓋体側またはコネクタ本体側にアンテナを設ける構成としたが、この構成に限定されるものではない。カード用コネクタの筐体部分において、基板の設置面に対向する壁部にアンテナが設けられる構成であればよく、例えば、蓋体側およびコネクタ本体側の両方にアンテナを設ける構成としてもよい。
【００５５】
また、上記した各実施の形態においては、アンテナを取付部材またはコネクタ本体の底壁部の挿入口側に設ける構成としたが、この構成に限定されるものではない。アンテナが電波を受信可能な位置であれば、取付部材および底壁部のどの位置に設けられていてもよい。
【００５６】
また、上記した各実施の形態においては、金属板によりアンテナを形成する構成としたが、この構成に限定されるものではない。カード用コネクタに搭載可能であれば、どのようなアンテナを用いてもよい。
【００５７】
また、上記した第１の実施の形態においては、蓋本体を金属板で形成し、蓋本体に取付部材を設けてカード用コネクタにアンテナを設ける構成としたが、この構成に限定されるものではない。蓋本体を絶縁樹脂で形成する構成とすれば、蓋本体にアンテナを設ける構成としてもよい。
【００５８】
また、上記した第１の実施の形態においては、取付部材によりアンテナを完全に覆い隠す構成としたが、この構成に限定されるものではない。取付部材にアンテナが設けられていればよく、アンテナが部分的に露出する構成としてもよい。
【００５９】
また、上記した第１の実施の形態においては、取付部材を薄板状に形成する構成としたが、この構成に限定されるものではない。取付部材を蓋本体の上面に設けて、カード用コネクタの設置スペースを広げない構成であれば、取付部材の形状はどのような形状であってもよい。
【００６０】
また、上記した第２の実施の形態においては、一つのアンテナを側面視Ｃ字状に屈曲して立体的に形成する構成としたが、この構成に限定されるものではなく、他の立体形状に形成する構成としてもよいし、平面状に形成する構成としてもよい。
【００６１】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００６２】
以上説明したように、本発明は、装着対象となる通信モジュール用カードの小型化を図ると共に、設置スペースの省スペース化を図ることができるという効果を有し、特に、ノート型ＰＣ等の携帯用電子機器に備えられるカード用コネクタに有用である。
【符号の説明】
【００６３】
１、４１  カード用コネクタ
２、４２  コネクタ本体（筐体、ハウジング）
３、４３  蓋体（筐体）
５、４５  挿入口
１５、５５  コンタクト端子
１８、５８  スライド部材
２７  蓋本体（筐体、蓋体）
２８  取付部材（蓋体）
３２  凸部
３４  平板部
３５  枠板部
３６  曲げ部
３７、６１、６２、６３  アンテナ
３８、６８  ピン端子
３９、６７  接続ライン（アンテナ接続部）
６４  側板部
６５  上板部
７１  通信モジュール用カード
７７  基板
【図１】
2010251043.tif 000003
【図２】
2010251043.tif 000004
【図３】
2010251043.tif 000005
【図４】
2010251043.tif 000006
【図５】
2010251043.tif 000007